(57)【特許請求の範囲】
【請求項１】
カバー部材に削設された環状溝へガスケットを装着し、このカバー部材を相手部材の開口部へ被せて密封を図るガスケットの装着構造において、
前記ガスケットは所定の箇所から径方向に延出する繋ぎ部と、該繋ぎ部から上下に突出するピンを有しており、
前記カバー部材と相手部材のそれぞれのガスケット取り付け面に前記ガスケットのピンに対応する位置決め孔を削設し、
前記カバー部材と相手部材との間にガスケットを装着せしめるとき、前記カバー部材の環状溝と位置決め孔へガスケットと片側のピンとを装着した後、
前記相手部材の位置決め孔へもう片側のピンを挿入して組付けせしめることを特徴としたガスケットの装着構造。
【請求項２】
前記ガスケットの径方向に延出する繋ぎ部へ合成樹脂材あるいは金属材などからなる剛性材を埋設せしめたことを特徴とした請求項１のガスケットの装着構造。
【請求項３】
前記ピンに合成樹脂材あるいは金属材などからなる剛性材を埋設あるいは装着せしめたことを特徴とする請求項１ないし２のガスケットの装着構造。
【請求項４】
前記ガスケットとピンとは繋ぎ部を介して互いに引っ張り合って環状溝と位置決め孔へ装着されることを特徴とする請求項１ないし２ないし３のガスケットの装着構造。
【発明の詳細な説明】
【０００１】
【発明の属する技術分野】
本発明は、自動車等に搭載されたエンジンにおけるカバー部材と相手部材との密封をなす密封材に関し、具体的には該カバー部材と相手部材へ装着するガスケットの装着構造の改良に関する。
【０００２】
【従来の技術】
自動車等に搭載されるエンジンのシリンダブロックとシリンダヘッドカバーあるいはオイルパンさらにはインテークマニホールドなどのカバー部材とかブロック材との間に装着されて密封をなさしめるガスケットは、合成ゴム材あるいは合成樹脂材等の弾性体で形成されており、その形状は角あるいは丸、楕円などの断面形状をなし、前記カバー部材のフランジ周面に削設された環状溝へ挿入されて相対するブロック材へ取付けられている。
ここでの取付け作業の手順は、前記カバー部材のフランジ面を上方に向けてこのフランジ面の環状溝へ環状のガスケットを嵌め込み圧入した後、前記カバー部材をひっくり返してシリンダブロックあるいはシリンダヘッドなどの相手部材の密封面へガスケットを接触せしめるよう載置し、その後該二部材間に配置したボルト・ナットなどの締付け手段を用いてカバー部材を締め付け、ガスケットに適当な圧縮を与えることによって変形密着を促し密封作用を働かせしめている。
以下、図面を参照しつつ詳述する。
【０００３】
【発明が解決しようとする課題】
前記のように、図４に示す従来のカバー部材１の装着時にはガスケット２′が下面側となって相手部材３に接触し、該カバー部材１の固着のために締付け具であるボルト４が通るよう相手部材３の通孔を探し同軸に揃整させる作業を強いられるから、どうしても相手部材３の密封面上をガスケット２′が前後とか左右に擦れ動く動作を強いられるもので、この位置が決まるまでの擦れ時に摩擦により前記環状溝１１からガスケット２′が部分的に脱落あるいはズレ抜ける恐れが有り、こうなって締付けられるとたちまち密封不良を起こしてしまう。
これを防ぐためには装着する相手部材３に何らかのガイド部材を設けてカバー部材１を滑り込ませるとか、位置決め用のピンを埋設するなどの方策が考えられるが（どちらも図示していない）、これらはコストアップにつながり実際的でない。
【０００４】
また、単純にカバー部材１の環状溝１１からガスケット２′の抜け落ちを防ぐために図４に示すようにガスケット２′の両側面へ突出した突起２４′を部分的に設けて該環状溝１１へ圧入固着する装着方法も講じられたが、ここでは圧入装着に手間取り装着不良も発生し易いもので、さらに締付けにおいては前記突起２４′の近辺で圧縮応力の不均一が認められ密封性能の低下をきたすものとなっている。
【０００５】
本発明はこのような欠点に鑑み、カバー部材の相手部材への装着時にカバー部材からガスケット脱落を許さず正確に組付けられるガスケットの装着構造を提供せんことを目的としている。
【０００６】
【課題を解決するための手段】
本発明を図面に基づいて説明すると、図１に示すように、自動車等に搭載されたエンジンにおけるシリンダヘッドカバーあるいはオイルパンなどのカバー部材１とシリンダヘッドあるいはシリンダブロックなどの相手部材３との間に配置されて密封をなすガスケット２の装着構造であって、前記ガスケット２は環形状をなしてその所定の箇所から径方向に延出する繋ぎ部２１と、該繋ぎ部２１から上下に突出するピン２２とを有しており、前記カバー部材１と相手部材３のそれぞれのガスケット取り付け面に前記ガスケット２のピン２２に対応する位置決め孔１２及び３２を削設せしめ、前記カバー部材１のフランジ面に削設した環状溝１１と位置決め孔１２へガスケット２と片側のピン２２を装着した後、前記相手部材３の位置決め孔３２へもう片方のピン２２を挿入して組み付けを図り、その後締付け具による締着をなさしめることを特徴とている。
【０００７】
【発明の実施の形態】
本発明のガスケット２の装着構造は、相手部材３の密封面へガスケット２の装着されたカバー部材１をすばやく位置決めして載置するために開発されており、前記カバー部材１にガスケット２を装着した後に相手部材３の位置決め孔３２へピン２２を挿入せしめることで前記二部材１、３の正確な位置が瞬時に決まり、その後締付け具によって確実に締め付け固着されるものである。
【０００８】
このように前記カバー部材１と相手部材３とをすばやく正確に位置合わせできることは前記カバー部材１の環状溝１１へ装着されている前記ガスケット２が相手部材３の密封面上を擦れ移動しないことを意味しており、ここでガスケット２は環状溝１１からの脱落が防止されると共に締付け具による締付け作業性と安全性も大きく向上させるものとなる。
【０００９】
【実施例】
本発明でのガスケット２の装着実施においては、図１に示すように、ガスケット２に設けたピン２２をカバー部材１の位置決め孔１２と相手部材３へ設けた位置決め孔３２へ装着せしめるには、ますガスケット２を環状溝１１に挿入せしめると共にカバー部材１の位置決め孔１２へピン２２の片方を装着せしめ、その後、ガスケット２の装着されてカバー部材１を下方に向けてもう片方のピン２２で相手部材３の位置決め孔３２を探り、そして該片方のピン２２が嵌め合わされて組み付けを完了させる。
【００１０】
このとき相手部材３の位置決め孔３２へ嵌まるもう片方のピン２２はカバー部材１からもっとも突出した部位となっており、前記相手部材３の位置決め孔３２を探し易いガイドとなって該位置決め孔３２へ簡単に到達し嵌め合わされる。
従って、前記ピン２２と位置決め孔１２，３２との関係は、互いに嵌め易く抜け難い形状が求められるもので、一般的には円柱形状と円筒孔の組み合わせが加工性の良さから奨められるが、角柱形状とか円錐形状あるいは長卵形状など様々な形状物が用いられる。
【００１１】
ここでの前記ガスケット２に設けたピン２２を繋ぐ繋ぎ部２１は前記のように、まずカバー部材１の環状溝１１と位置決め孔１２へガスケット２とピン２２とを装着固定せしめるものであるから該ガスケット２とピン２２を迅速に装着せしめるためには両者を支えこれらの位置形状を維持せしめる強度が必要であり、この目的のために図２に示すように該繋ぎ部２１へ合成樹脂材あるいは金属材からなる剛性材２３などを埋設せしめ両側の部材２及び２２の位置関係と配置形状を守る構成が開発されている。
【００１２】
また、前記のようにカバー部材１へ装着されたピン２２が相手部材３の位置決め孔３２を探り易く、位置決め孔１２及び３２に挿入されると正確な位置を保たせるために前記ピン２２に合成樹脂材あるいは金属材からなる剛性材を埋設（図示していない）するかまたは嵌め込み装着せしめることも可能であり、例えば図５に示すように弾性体でなる繋ぎ部２１へ硬質な剛性材でなるピン２２´を嵌め込み固定せしめ、このピン２２´を前述のように上下の位置決め孔１２，３２へ装着せしめれば、挿入作業性を向上させるに留まらず装着後においてもズレのない高い精度の配置が可能となる。
【００１３】
また、前記ガスケット２とピン２２との位置関係は、図１に示すようなどの部位にもストレスを与えない配置以外に、その繋ぎ部２１を介して互いに引っ張り合って環状溝１１と位置決め孔１２へ装着されるような配置（図示していない）とすることも可能であって、この配置では互いに引っ張り合って環状溝１１と位置決め孔１２の対向する側面にガスケット２とピン２２とが密着するので脱落防止の抵抗作用を見せより強い装着を実現する。
【００１４】
なお、ここで用いるガスケット２の材料としては、ゴム材や熱可塑性エラストマー・樹脂材等が好適であり、例えばゴム材を挙げれば、ブチルゴムスチレンーブタジエン共重合体、エチレンー酢酸ビニル共重合体、エチレンーアクリル酸メチル共重合体、エチレンーアクリル酸エチル共重合体、ブタジエンゴム、ニトリルゴム、水素添加ニトリルゴム、アクリルゴム、シリコーンゴム、フッ素ゴム、フロロシリコーンゴム、エチレンプロピレンゴムなどが採用可能である。
【００１５】
【発明の効果】
本発明によると、カバー部材１を相手部材３へ装着時に前記ガスケット２のピン２２を位置決め孔３２へ挿入せしめることで正確な位置を割り出しすばやく装着組付けすることができる。このとき前記ピン２２は位置決め孔３２へのガイドとなって簡単に到達し嵌め合わされる。
このことはガスケット２が相手部材３の密封面上を擦れ移動することを防ぐか最小限に留めるものとなり装着不良を一掃し締付け作業性も大きく向上させるものとなる。
【図面の簡単な説明】
【図１】本発明の装着状態を示す一実施例の断面図である。
【図２】本発明の他の実施例を示す断面図である。
【図３】本発明のガスケットを示す平面図である。
【図４】本発明を用いない従来の装着例を示す断面図である。
【図５】本発明のその他の実施例を示す断面図である。
【符号の説明】
１    カバー部材
１１  環状溝
１２  カバー部材の位置決め孔
２    ガスケット
２１  繋ぎ部
２２  ピン
２２´硬質な剛性材でなるピン
２３  剛性材
２′  従来のガスケット
３    相手部材
３２  相手部材の位置決め孔
４    ボルト
【図１】
0004597424.tif 000002
【図２】
0004597424.tif 000003
【図３】
0004597424.tif 000004
【図４】
0004597424.tif 000005
【図５】
0004597424.tif 000006